(57)【要約】【課題】撮像部に密着させずに原稿を読み込む折り畳み式画像読取装置で、光沢面を有する原稿を読み取るときの、光沢面による室内照明等の写り込みを防止する。【解決手段】写り込みを発生させる光の原稿への直接の入射を抑止する抑止部材や写り込み防止シートを具備する。抑止部材や写り込み防止シートは光の透過性を有すると共に、光を散乱又は拡散させる機能を有しており、外部からの光は散乱又は拡散され、原稿読取位置に置かれた原稿に照射される。【選択図】図１
2011029957.tif 000002
【特許請求の範囲】
【請求項１】
原稿から離間した所定の位置で原稿を読み取る撮像手段と、
前記撮像手段で読み取られる読取画像に写り込む、外部からの光の入射を抑止する、収納可能な抑止手段を有することを特徴とする画像読取装置。
【請求項２】
前記画像読取装置は、前記撮像手段を回動可能に支持する支持手段と、
前記支持手段に対して開脚及び折り畳み可能に連結されるとともに、開脚した状態において前記撮像手段が前記所定の位置に配置されるように、前記支持手段を起立した状態に保持する１対の脚部と、
を備えることを特徴とする請求項１に記載の画像読取装置。
【請求項３】
前記１対の脚部は、開脚した状態において前記撮像手段の読取が可能な読取位置に対応する原稿の配置領域を規定するとともに、原稿を突き当てることで当該原稿を前記撮像手段に対して位置決めする位置決め部を有することを特徴とする請求項２に記載の画像読取装置。
【請求項４】
前記抑止手段は、前記撮像手段の内部又は近傍に収納されることを特徴とする請求項１〜３のいずれか１項に記載の画像読取装置。
【請求項５】
前記抑止手段は、前記支持手段に収納されることを特徴とする請求項１〜３のいずれか１項に記載の画像読取装置。
【発明の詳細な説明】
【技術分野】
【０００１】
本発明は、画像読取装置に関するものである。
【背景技術】
【０００２】
特許文献１に開示されているような、撮像部に原稿を密着させずに読み取りを行う非接触型画像読取装置で画像読取を行うときに、光沢面を有する原稿を読み取る場合は、読取画像に天井等の照明器具からの光が写り込むテカリ現象が生じる。そこで、光沢面を有する原稿を、画像読取装置の読み取り可能な視野の範囲内で移動させるような方法や表面にシボ加工を施した透明フィルムを用いたフォルダに原稿を入れて読み取るといった手法が取られてきた。また、特許文献２に開示された画像読取装置のように、原稿台と一体化された反射防止板、あるいは着脱可能な構造の反射防止板を備えて、照明器具の写り込みを改善しているものがある。
【先行技術文献】
【特許文献】
【０００３】
【特許文献１】特開２００２−３２５１７８号公報
【特許文献２】特開２００８−１３１３２５号公報
【発明の概要】
【発明が解決しようとする課題】
【０００４】
しかしながら、光沢面を有する原稿を、画像読取装置の読込み視野の範囲内で移動させて写り込みを避ける方法では、室内照明用の照明器具と画像読取装置との位置関係によっては、写り込みが生じない位置を見つけ出すことができない場合がある。画像読取装置そのものを、異なる設置位置に移動する方法においても同様であり、加えて、設置場所の移動に手間が掛かる。
【０００５】
また、表面にシボ加工を施した透明フィルムによるフォルダを使用する方法は、フォルダに原稿を挟んだ状態において、透明フィルムと原稿の光沢面との間に隙間が存在してしまうと、原稿の光沢面で光を強く反射し「テカリ」現象を防止することができないという問題がある。さらに、画像読取装置そのものとは別に、当該フォルダを別途用意する必要がある。
【０００６】
また、室内照明光等の外光を遮る反射防止板を用いた画像読取装置では、原稿の光沢面において外光が反射することを防ぐことができる。しかし、反射防止板が書類押さえと一体あるいは同程度の大きさであるうえ、折り畳めない構造となっているため保管場所の占有面積が広く必要となり、収納性や携帯性も損なわれる。
【０００７】
本発明は、上述した課題の少なくとも１つを解決するためになされたものであり、光沢面を有する被写体を読み取る際の室内照明の写り込みを防止でき、かつ、収納時は小型になる画像読取装置を提供することを目的としている。
【課題を解決するための手段】
【０００８】
本発明の画像読取装置は、原稿から離間した所定の位置で原稿を読み取る撮像手段と、前記撮像手段で読み取られる読取画像に写り込む、外部からの光の入射を抑止する、収納可能な抑止手段を有することを特徴とする。
【発明の効果】
【０００９】
本発明によれば、光沢原稿の読取画像に外光による写り込みが発生することを抑止できる、収納性に優れた画像読取装置を提供できる。
【図面の簡単な説明】
【００１０】
【図１】実施例１における画像読取装置の全体図である。
【図２】実施例１における画像読取装置の側面図である。
【図３】実施例１におけるヒサシ部を収納し、折り畳み式本体部を折り畳む様子を説明するための図である。
【図４】実施例２における画像読取装置のヒサシ部を収納する様子を説明するための図である。
【図５】実施例３における画像読取装置の全体図である。
【図６】実施例４における画像読取装置の全体図である。
【図７】実施例５における画像読取装置の全体図である。
【図８】実施例６における画像読取装置の、折り畳んだ状態の全体図である。
【図９】実施例６における画像読取装置の、反射防止シートを広げた状態の全体図である。
【図１０】実施例７における画像読取装置の、反射防止シートを収納した状態の全体図である。
【図１１】実施例７における画像読取装置の、反射防止シートを広げた状態の全体図である。
【発明を実施するための形態】
【００１１】
以下、本発明の実施形態の詳細について図面を参照しながら説明する。
【実施例１】
【００１２】
後述する撮像部３で読み取られる読取画像に写り込む外部からの光の、直接の入射を抑止する抑止部の一例であるヒサシ部を備えた画像読取装置を図１に示す。図１に示した画像読取装置はヒサシ部１、不図示のエリアイメージセンサ、レンズ２を備えた撮像部（撮像手段）３と、下部フレーム４と上部フレーム５から成る折り畳み式本体部（支持手段）と、右ベース部材６と左ベース部材７の１対の部材を有するベース部（脚部）９で構成されている。撮像部３は原稿に密着させずに原稿を読み取ることができる。図２に画像読取装置の側面図を示す。図３は本実施形態のヒサシ部１を収納し、折り畳み式本体部を折り畳む場合の操作の順序を説明するための図である。
【００１３】
図１において、右ベース部材６と左ベース部材７は両者の間の角度が略９０度をなす開脚状態になっているとともに、机等に接して折り畳み式本体部（支持手段）を起立した状態に保持するようになっている。また、この状態で撮像部３は原稿から離間した所定の位置に配置されている。また、例えばＡ４サイズの原稿８の角部を右ベース部材６と左ベース部材７により構成される略９０度の角部（位置決め部）に突き当てることで、撮像部による読取が可能な所定の読取位置に原稿を位置決めすることができる。また、右ベース部材６と左ベース部材７の側部の、原稿に突き当たる部分が、上記所定の読取位置に対応する原稿の配置領域の一部を規定している。
【００１４】
図２において、原稿８に対して撮像部３はレンズ２の光軸が略垂直になるようにセットされている。したがって撮像部内のエリアイメージセンサと原稿８は略平行になっており原稿８の画像情報はレンズ２によりエリアイメージセンサに傾き無く結像される。
【００１５】
図３に示すように、ヒサシ部１は複数の部材からなり、両端の回動可能なヒサシ部材（抑止部材）を回動させて折り畳める形状となっており、撮像部３の上側の位置（近傍位置）に収納することができる。図３の図示例は３枚の部材を有しているが、ヒサシ部１は２枚の部材を有していてもよく、４枚以上の部材を有していてもよい。また矢印の方向にスライドさせることで、ヒサシ部１は撮像部３の上側の位置に、ほぼ張り出すことなく収納可能である。右ベース部材６と左ベース部材７とを平行に揃えた状態にしたベース部９を回動させると、ベース部９は折り畳み式の下部フレーム４の内部に収納されるようになっている。下部フレーム４に対して上部フレーム５が回動可能な構成になっており、上部フレーム５が下部フレーム６の延長線上に伸ばされた状態で撮像部３は所定の高さに位置決め可能となる。
【００１６】
ヒサシ部１を広げて、外光の方向に合わせて撮像部３の真上からスライドさせることで、原稿の光沢面にて反射され、撮像部１１０に入射する室内照明等の光路をヒサシ部１が遮るので、読取画像に写り込みが発生することを防止できる。また本実施形態の画像読取装置は、図３のように小さく折り畳めるため、携帯性がよい。ヒサシ部１を撮像部３の真上からスライド可能な構造とするのではなく、ヒサシ部１を撮像部３の真上から回動して、外光にあわせて移動可能な構造にしてもよい。もちろん、このような回動と前述したスライドの両方が可能な構造にしてもよい。
【実施例２】
【００１７】
実施例２として、ヒサシ部がスライドして互いに重なり合う３枚のヒサシ部材を有する構成の例を図４に示す。折り畳み式本体部としては、例えば実施例１と同等の構成であるものを用いることができる。ヒサシ部１は図４に示すようにスライドさせて広げることで、原稿８に外光が入ることを抑制する。また撮像部３の真上からヒサシ部の全体をスライド可能である。このことにより、原稿の光沢面にて反射され、撮像部１１０に入射する室内照明等の光路をヒサシ部１が遮るので、読取画像に写り込みが発生することを防止できる。        また、スライドして互いに重なり合う枚数を増やした場合は、幅の広い構造を持つヒサシ部にすることができるため、写り込みをさらに防ぐことができる。
【００１８】
ヒサシ部１を撮像部３の上側や横側の位置（近傍位置）に収納するために、上述した各実施例に限らず、ヒサシ部１をジャバラ形状や扇形状などにしても構わない。また、ヒサシ部１を撮像部３の内部に収納してもよい。
【実施例３】
【００１９】
実施例１のヒサシ部の曲げ角度が下方向にも変更可能であるよう構成した例を図５に示す。折り畳み式本体部としては、例えば実施例１と同等の構成であるものを用いることができる。ヒサシ部１は図５に示すように可動となっており、写り込みを発生させる外光の入射角度が低い場合も、ヒサシ部１の角度を変化させることで外光を遮る位置に調整可能となり、原稿の読取画像に写り込みが発生することを抑制する。
【実施例４】
【００２０】
ヒサシ部１の材質が半透明な板である例を図６に示す。折り畳み式本体部としては、例えば実施例１と同等の構成であるものを用いることができる。ヒサシ部１が半透明板となっていることで、光沢面を有する原稿の読取画像に写り込みが発生することを防止できるとともに、透過した光が原稿を明るくするので、読取画像を明るさやＳ／Ｎを確保することができる。半透明な板からなるヒサシ部１は、実施例１〜３のように折り畳みやスライド可能とすることが好適である。なお、乳白色等の半透明部材をヒサシ部１に用いて拡散部材として外光を拡散させて、拡散光を原稿に当てるようにすることが好適である。また、光を散乱させるようなシボ状の凹凸を表面に形成した透明部材や半透明部材をヒサシ部１に用いて、透過光を散乱させるようにしてもよい。
【実施例５】
【００２１】
実施例５として、ヒサシ部１が格子状の網目を有する部材である例を図７に示す。折り畳み式本体部の構成は実施例１と同等であるものとする。ヒサシ部１を光の通過する網目を有する部材にしたことで、原稿に入る外光を細かく分断し写り込みの発生を抑制することができる。また、読取画像の明るさやＳ／Ｎを確保できる。なお、網目でなく穴を設けてもよい。
【実施例６】
【００２２】
図８に実施例１〜５とは異なる形態である画像読取装置の折り畳まれた状態の外観図を示す。図８のように画像読取装置は撮像部（撮像手段）１１０、右ベース部材（脚部）１１３ａ、左ベース部材（脚部）１１３ｂが折り畳まれると、持ち運びに適した状態となる。図９に原稿読み取り可能な状態になった画像読取装置を示す。図９において、画像読取装置の撮像部１１０は原稿に対して水平になるよう回動した状態になっており、撮像部３は原稿から離間した所定の位置に配置されている。また、右ベース部材１１３ａ、左ベース部材１１３ｂも原稿に対して水平になるよう回動し開脚した状態になっている。この状態で右ベース部材（脚部）１１３ａと左ベース部材（脚部）１１３ｂは本体部（支持手段）１１６を起立した状態に保持している。また、この状態で撮像部１１０は原稿から離間した所定の位置に配置されている。また、例えばＡ４サイズの原稿１２２の角部を本体部１１６の最下部にある角部に突き当てることで、撮像部による読取が可能な所定の読取位置に原稿を位置決めすることができる。また、右ベース部材（脚部）１１３ａと左ベース部材（脚部）１１３ｂの側部（位置決め部）に原稿１２２を突き当てることでも、原稿を位置決めすることができる。また、右ベース部材（脚部）１１３ａと左ベース部材（脚部）１１３ｂの側部の、原稿に突き当たる部分が、上記所定の読取位置に対応する原稿の配置領域の一部を規定している。図８の折り畳み状態では本体部１１６には反射防止部材である反射防止シート１１９ａ、１１９ｂが折り畳まれた状態で収納されている。
【００２３】
反射防止シート１１９ａ、１１９ｂの一端は、それぞれ右ベース部材１１３ａ、左ベース部材１１３ｂに固定されている。そのため、本体部１１６に対して右ベース部材１１３ａ、左ベース部材１１３ｂを本体部（支持部）１１６から離間する方向に略直角となる位置まで回動させる動作に連動して、反射防止シート１１９ａ、１１９ｂは折り畳まれた状態（収納位置）から引き出されて扇形に開かれた状態となる。撮像部１１０も回動させて、折り畳まれた状態から原稿１２２に対して水平となる状態にする。この状態で原稿の読み取りを行えば、原稿の光沢面にて反射され、撮像部１１０に入射する室内照明等の光路を反射防止シート１１９ａ、１１９ｂが遮るので、読取画像に写り込みが発生することを防止できる。なお、反射防止シートを折り畳む構造ではなく、小サイズの部材を連結して反射防止部材とし、該小サイズの部材を重ね合わせて収納するようにしてもよい。
【実施例７】
【００２４】
また、反射防止シートを画像読取装置に収納する形態としては図１０、図１１に示す方法もある。まず図８の折り畳み状態から図１０の状態に右ベース部材１１３ａ、左ベース部材１１３ｂを回動させる。この状態では、本体部１１６には反射防止部材である反射防止シート１２５ａ、１２５ｂが本体部に内蔵された不図示の巻き取り機構によって収納されている。
【００２５】
次に撮像部１１０を回動させて、折り畳まれた状態から原稿に対して水平となる状態にする。その後、巻き取り機構によって収納されていた反射防止シート１２５ａ、１２５ｂを図１１のように引き伸ばした状態にする。反射防止シート１２５ａ、１２５ｂを引き伸ばした状態にて固定する方法は、例えば反射防止シート１２５ａ、１２５ｂの端部にある棒状の部材を、右ベース部材１１３ａ、左ベース部材１１３ｂに設けた不図示の穴に差し込む等、どのような方法でもよい。この状態で原稿の読み取りを行えば、原稿の光沢面にて反射され、撮像部１１０に入射する室内照明等の光路を反射防止シート１２５ａ、１２５ｂが遮るので、読取画像に写り込みが発生することを防止できる。
【００２６】
尚、本発明は今回説明した実施例の形態に限定されるものではない。例えば、乳白色等の透過性を有する半透明部材の反射防止シートや反射防止部材を用いて外光を拡散させて、拡散光を原稿に当てるようにすることが、読取画像のＳ／Ｎを向上させるために好適である。また、光を散乱させるようなシボ状の凹凸を表面に形成した透明や半透明の反射防止シートや反射防止部材を用いて、透過光を散乱させるようにしてもよい。また、本発明の各実施の形態の構成要素を他の実施の形態に追加してもよい。
【符号の説明】
【００２７】
１  ヒサシ部
２  レンズ
３  撮像部
４  下部フレーム
５  上部フレーム
６  右ベース部材
７  左ベース部材
８  原稿
９  ベース部
１１０  撮像部
１１３ａ  右ベース部材
１１３ｂ  右ベース部材
１１６  本体部
１１９ａ  反射防止シート（折り畳み式）
１１９ｂ  反射防止シート（折り畳み式）
１２２  原稿
１２５ａ  反射防止シート（巻き取り式）
１２５ｂ  反射防止シート（巻き取り式）
【図１】
2011029957.tif 000003
【図２】
2011029957.tif 000004
【図３】
2011029957.tif 000005
【図４】
2011029957.tif 000006
【図５】
2011029957.tif 000007
【図６】
2011029957.tif 000008
【図７】
2011029957.tif 000009
【図８】
2011029957.tif 000010
【図９】
2011029957.tif 000011
【図１０】
2011029957.tif 000012
【図１１】
2011029957.tif 000013